(57)【要約】【課題】ＴＤＭＡ方式により移動局装置との間でデータの送受信を行う、冗長構成をとる基地局装置において、障害が発生した現用系統から予備系統への系統切替えを実行し、運用を再開した後に、障害によって移動局装置に送信できなかったデータを再び送信するまでの時間を短縮する基地局装置を提供することを目的とする。【解決手段】基地局装置が、送信するデータと送信先の移動局装置を特定する移動局識別子とを対応付け、送信するデータの移動局識別子を記憶し、基地局装置で発生した障害の復旧後に、記憶した移動局識別子と対応するデータより送信を開始する、基地局装置とその基地局装置において実行されるデータ送信方法を提供する。【選択図】図５
2016063279.tif 000002
【特許請求の範囲】
【請求項１】
複数の移動局装置との間で無線通信のデータの送受信を時分割で順次行う基地局装置であって、
前記データに前記移動局装置を同期させる同期情報を付加し送信する、運用状態の現用系統無線部と、
前記現用系統無線部の予備である予備系統無線部と、
送信する前記データと前記移動局装置を特定する移動局識別子とを対応付け、送信する前記データの前記移動局識別子を記憶する通信制御部と、
を備え、
前記通信制御部は、
前記基地局装置の障害の復旧後に、
運用状態となる前記現用系統無線部又は前記予備系統無線部に対し、記憶した前記移動局識別子と対応する前記データから送信を開始させる、
ことを特徴とする基地局装置。
【請求項２】
前記障害の復旧後に運用状態となる、前記現用系統無線部又は前記予備系統無線部は、
前記障害が復旧するまでの間、
前記同期情報を付加した擬似データを前記移動局装置に送信する、
ことを特徴とする請求項１に記載の基地局装置。
【請求項３】
複数の移動局装置との間で無線通信のデータの送受信を時分割で順次行う基地局装置であって、
前記データに前記移動局装置を同期させる同期情報を付加し送信する、運用状態の現用系統無線部と、
前記現用系統無線部の予備である予備系統無線部と、
送信する前記データと前記移動局装置を特定する移動局識別子とを対応付け、送信する前記データの前記移動局識別子を記憶する通信制御部と、
を備え、
前記通信制御部は、
前記基地局装置の障害の発生時に、
記憶した前記移動局識別子を基に前記移動局装置の前記同期に要する前記同期情報の数だけ遡った同期移動局識別子を導出し、
前記障害の復旧後に、
運用状態となる前記現用系統無線部又は前記予備系統無線部に対し、前記同期移動局識別子と対応する前記データから送信を開始させる、
ことを特徴とする基地局装置。
【請求項４】
前記通信制御部は、
系統切替制御部、現用系統制御部及び予備系統制御部で構成され、
前記系統切替制御部は、
前記移動局識別子の記憶と、前記現用系統制御部又は前記予備系統制御部のいずれかを運用状態とする系統切替えとを行い、
運用状態となる前記現用系統制御部又は前記予備系統制御部は、
前記現用系統無線部又は前記予備系統無線部に対し運用状態とする初期設定を行う、
ことを特徴とする請求項１〜３のいずれか１項に記載の基地局装置。
【請求項５】
複数の移動局装置との間で無線通信のデータの送受信を時分割で順次行う基地局装置において実行されるデータ送信方法であって、
前記データに前記移動局装置を同期させる同期情報を付加し送信するデータ送信工程と、
前記データ送信工程での送信先となる前記移動局装置と対応した移動局識別子を記憶する移動局識別子記憶工程と、
前記基地局装置で発生した障害の復旧後に、前記移動局識別子記憶工程で記憶した前記移動局識別子と対応した前記データから送信を開始させる復旧データ送信工程と、
を有する、
ことを特徴とする基地局装置のデータ送信方法。
【請求項６】
前記障害が復旧するまでの間、
前記同期情報を付加した擬似データを前記移動局装置に送信する擬似データ送信工程をさらに有する、
ことを特徴とする請求項５に記載の基地局装置のデータ送信方法。
【請求項７】
複数の移動局装置との間で無線通信のデータの送受信を時分割で順次行う基地局装置において実行されるデータ送信方法であって、
前記データに前記移動局装置を同期させる同期情報を付加し送信するデータ送信工程と、
前記データ送信工程での送信先となる前記移動局装置と対応した移動局識別子を記憶する移動局識別子記憶工程と、
前記基地局装置の障害の発生時に、前記移動局識別子記憶工程で記憶した前記移動局識別子を基に、前記移動局装置の前記同期に要する前記同期情報の数だけ遡った同期移動局識別子を導出する同期移動局識別子導出工程と、
前記障害の復旧後に、前記同期移動局識別子導出工程で導出した前記同期移動局識別子と対応した前記データから送信を開始させる復旧データ送信工程と、
を有する、
ことを特徴とする基地局装置のデータ送信方法。
【発明の詳細な説明】
【技術分野】
【０００１】
本発明は、ＴＤＭＡ（Ｔｉｍｅ Ｄｉｖｉｓｉｏｎ Ｍｕｌｔｉｐｌｅ Ａｃｃｅｓｓ、時分割多元接続）移動体通信システムにおいて、移動局装置との間で無線通信の同期を取りながらデータの送受信を行う基地局装置と、その基地局装置で実施される移動局装置へのデータ送信方法に関するものである。
【背景技術】
【０００２】
ＴＤＭＡ移動体通信システムでは、１台の基地局装置に対し、同じ周波数帯域を使用して複数の移動局装置が無線通信を行う。この無線通信で扱われる無線通信フレームは複数のスロットに時分割され、各スロットを各移動局装置に割り当てることで、基地局装置と各移動局装置との間でデータの送受信を行う。ここで、移動局装置は、データ送受信を行う前に、基地局装置がスロット内のデータに付加した同期情報を所定数だけ検出して無線通信の同期を確立させる。このとき確立した無線通信の同期は、移動局装置が所定数の同期情報を検出しなければ外れてしまう。
【０００３】
また、基地局装置は、実装する機能部の一部又は全てを、例えば運用状態の現用系統と待機状態の予備系統との２系統による冗長構成としている。冗長構成とすることで、現用系統に属する機能部に障害が発生し、正常に運用を行えない状態となっても、基地局装置は運用に支障のある機能部を予備の機能部に切替え、安定して運用を継続することができ、システムの信頼性を確保することができる。
【０００４】
一般に、冗長構成をなす予備系統の待機方法には、常時起動状態として現用系統の処理に同期させたホットスタンバイと、系統切替えを実行するまで停止状態とするコールドスタンバイの２種類がある。ホットスタンバイは、現用系統から予備系統への切替えを即時実行することができる。これに対して、コールドスタンバイは、基地局装置の障害によって現用系統から予備系統への切替えが発生した場合に、予備系統が起動状態となるまでの時間を要してしまい、切替えを完了させて運用を再開するまでに時間を要してしまう。但し、コールドスタンバイは電力消費を抑えられる利点があるため、多くのシステムで採用されている。
【０００５】
上述のような冗長構成をとる基地局装置では、障害が発生した現用系統から予備系統に運用を移行し、移動局装置との通信を早期に再開させることが重要である。特許文献１では、自局装置からの送信フレ−ム非同期信号又は対向局装置からの受信フレ−ム非同期信号を検出することによって早期に障害を検知し、現用系統から予備系統への切替え時間の短縮を図る基地局装置を提案している。
【先行技術文献】
【特許文献】
【０００６】
【特許文献１】特開平１１−９８０５９号公報
【発明の概要】
【発明が解決しようとする課題】
【０００７】
しかしながら、ＴＤＭＡ方式の基地局装置では、障害が発生して現用系統から予備系統に運用を移行すると、時分割の最初のタイミングにあって既に送信済みのデータより送信が開始される。そうすると、障害の発生によってデータを受信できなかった移動局装置では、再び最初のタイミングから、自局装置がデータを受信するタイミングを待つこととなり、これによって通信の遅延が発生してしまう問題がある。また、コールドスタンバイのように、冗長構成の系統切替えに時間を要してしまう場合には、所定数の同期情報を移動局装置が検出できなければ、基地局装置と移動局装置との無線通信の同期が外れてしまうため、所定数の同期情報を検出して再び同期を確立するまでの間は、移動局装置はデータを受信することができず、更に通信の遅延が発生してしまう問題がある。上述のような、運用の再開後に移動局装置が通信を行えない状態は、通信を介して移動局装置を制御するシステムにおいては重大な問題となる。
【０００８】
本発明は、上述の問題を解決するためのものであり、現用系統及び予備系統の冗長構成をとる基地局装置において、予備系統への切替え完了及び運用の再開後に、障害発生によって移動局装置に送信できなかったデータを再び送信するまでの時間を短縮することを目的とする。
【課題を解決するための手段】
【０００９】
本発明は、複数の移動局装置との間で無線通信のデータの送受信を時分割で順次行う基地局装置であって、前記データに前記移動局装置を同期させる同期情報を付加し送信する、運用状態の現用系統無線部と、前記現用系統無線部の予備である予備系統無線部と、送信する前記データと前記移動局装置を特定する移動局識別子とを対応付け、送信する前記データの前記移動局識別子を記憶する通信制御部と、を備え、前記通信制御部は、前記基地局装置の障害の復旧後に、運用状態となる前記現用系統無線部又は前記予備系統無線部に対し、記憶した前記移動局識別子と対応する前記データから送信を開始させる、ことを特徴とする基地局装置である。
【００１０】
また、本発明は、複数の移動局装置との間で無線通信のデータの送受信を時分割で順次行う基地局装置であって、前記データに前記移動局装置を同期させる同期情報を付加し送信する、運用状態の現用系統無線部と、前記現用系統無線部の予備である予備系統無線部と、送信する前記データと前記移動局装置を特定する移動局識別子とを対応付け、送信する前記データの前記移動局識別子を記憶する通信制御部と、を備え、前記通信制御部は、前記基地局装置の障害の発生時に、記憶した前記移動局識別子を基に前記移動局装置の前記同期に要する前記同期情報の数だけ遡った同期移動局識別子を導出し、前記障害の復旧後に、運用状態となる前記現用系統無線部又は前記予備系統無線部に対し、前記同期移動局識別子と対応する前記データから送信を開始させる、ことを特徴とする基地局装置である。
【００１１】
また、本発明は、複数の移動局装置との間で無線通信のデータの送受信を時分割で順次行う基地局装置において実行されるデータ送信方法であって、前記データに前記移動局装置を同期させる同期情報を付加し送信するデータ送信工程と、前記データ送信工程での送信先となる前記移動局装置と対応した移動局識別子を記憶する移動局識別子記憶工程と、前記基地局装置で発生した障害の復旧後に、前記移動局識別子記憶工程で記憶した前記移動局識別子と対応した前記データから送信を開始させる復旧データ送信工程と、を有する、ことを特徴とする基地局装置のデータ送信方法である。
【００１２】
また、本発明は、複数の移動局装置との間で無線通信のデータの送受信を時分割で順次行う基地局装置において実行されるデータ送信方法であって、前記データに前記移動局装置を同期させる同期情報を付加し送信するデータ送信工程と、前記データ送信工程での送信先となる前記移動局装置と対応した移動局識別子を記憶する移動局識別子記憶工程と、前記基地局装置の障害の発生時に、前記移動局識別子記憶工程で記憶した前記移動局識別子を基に、前記移動局装置の前記同期に要する前記同期情報の数だけ遡った同期移動局識別子を導出する同期移動局識別子導出工程と、前記障害の復旧後に、前記同期移動局識別子導出工程で導出した前記同期移動局識別子と対応した前記データから送信を開始させる復旧データ送信工程と、を有する、ことを特徴とする基地局装置のデータ送信方法である。
【発明の効果】
【００１３】
本発明によれば、基地局装置が、送信データの宛先の移動局装置を特定する移動局識別子を記憶しておき、基地局装置の障害が復旧した直後に、記憶した移動局識別子に対応したデータを送信することができる。その結果として、基地局装置に障害が発生した後の、移動局装置がデータを受信するまでの期間を短縮できる効果が得られる。
【００１４】
また、本発明によれば、基地局装置の障害発生によって移動局装置との無線通信の同期が外れるような場合に、基地局装置が、送信データの宛先の移動局装置を特定する移動局識別子を記憶しておき、記憶した移動局識別子から移動局装置が同期の確立に要する同期情報の数だけ遡った同期移動局識別子を導出することで、基地局装置の障害復旧後に、同期移動局識別子に対応したデータから送信を開始することができる。その結果として、予備系統制御部より先に予備系統無線部を運用状態とすることが出来なくとも、移動局装置が同期を確立した直後に、障害発生によって送信できなかったデータを移動局装置に送信できる効果が得られる。
【図面の簡単な説明】
【００１５】
【図１】実施の形態１のＴＤＭＡ移動体通信システムを示す概略図である。
【図２】基地局装置が送信する無線通信フレ−ムの構成を示す模式図である。
【図３】基地局装置の構成を示す構成図である。
【図４】予備系統基地局装置が運用状態に移行し同期移動局識別子を付与したデータより送信を開始する動作を示すシーケンス図である。
【図５】図５（ａ）実施の形態１を適用して、基地局装置から移動局装置にデータ送信する過程を示す模式図である。図５（ｂ）実施の形態１を適用せず、基地局装置から移動局装置にデータ送信する過程を示す模式図である。
【図６】実施の形態２の擬似データの構成を示す模式図である。
【図７】予備系統基地局装置が運用状態に移行し同期情報を付加した擬似データを送信する動作を示すシーケンス図である。
【図８】図８（ａ）は、実施の形態２を適用して、基地局装置から移動局装置にデータ送信する過程を示す模式図である。図８（ｂ）は、実施の形態２を適用せず、基地局装置から移動局装置にデータ送信する過程を示す模式図である。
【図９】予備系統基地局装置が運用状態に移行し同期移動局識別子を付与したデータより送信を開始する動作を示すシーケンス図である。
【図１０】図１０（ａ）は、実施の形態３を適用して、基地局装置から移動局装置にデータ送信する過程を示す模式図である。図１０（ｂ）は、実施の形態３を適用せず、基地局装置から移動局装置にデータ送信する過程を示す模式図である。
【図１１】実施の形態４の基地局装置の構成を示す構成図である。
【図１２】予備系統無線部が運用状態に移行し、現用系統制御部の制御のもとで同期移動局識別子を付与したデータより送信を開始する動作を示すシーケンス図である。
【図１３】現用系統制御部の障害発生に伴い予備系統無線部が同期情報を付加した擬似データを送信する動作を示すシーケンス図である。
【図１４】現用系統制御部の障害発生に伴い現用系統無線部が同期情報を付加した擬似データを送信する動作を示すシーケンス図である。
【図１５】予備系統無線部が運用状態に移行し、予備系統制御部の制御のもとで同期移動局識別子を付与したデータより送信を開始する動作を示すシーケンス図である。
【発明を実施するための形態】
【００１６】
実施の形態１．
実施の形態１の基地局装置は、冗長構成の予備系統をホットスタンバイの待機状態としており、現用系統の運用中は常時起動して現用系統の処理と同期を取っている。そして現用系統に障害が発生すると、即時、予備系統は待機状態から運用状態に移行して、基地局装置の運用を再開する。
【００１７】
図１は、実施の形態１のＴＤＭＡ移動体通信システムを示す概略図である。基地局装置１００は、運用状態にある現用系統基地局装置１０１と、現用系統基地局装置１０１の予備として待機状態にある予備系統基地局装置１０２との２系統による冗長構成となっている。現用系統基地局装置１０１に障害が発生した場合に、予備系統基地局装置１０２が運用状態に切替わり、現用系統基地局装置１０１は待機状態に移行する。運用状態にある現用系統基地局装置１０１又は予備系統基地局装置１０２と、ｎ台の移動局装置１０３（１）〜（ｎ）とは、ＴＤＭＡ方式に従ってｎ個のスロットに時分割した無線通信フレームを介して、データの送受信を順次行う。
【００１８】
図２は、基地局装置１００が送信する無線通信フレ−ム２００の構成を示す模式図である。基地局装置１００は、後続の無線通信フレーム２００を繋げるよう連続して送信する。各無線通信フレーム２００は、ｎ個のスロット２０１に時分割されている。ここで、無線通信フレーム２００の伝送時間をＴ１とすると、各スロット２０１の伝送時間はＴ１／ｎとなる。各スロット２０１には、移動局装置１０３（１）〜（ｎ）に対する同期情報２０３と送信データ２０４とが格納されている。また、各送信データには、移動局装置１０３（１）〜（ｎ）を特定する移動局識別子２０５（１）〜（ｎ）が付与されている。移動局装置１０３（１）〜（ｎ）は、この移動局識別子２０５によって、自局装置宛のデータが格納されたスロットを区別する。尚、移動局識別子２０５（１）〜（ｎ）は、移動局装置１０３（１）〜（ｎ）との対応付けが行えるものであれば良く、例えば整数やアルファベット等を用いても良い。このように、基地局装置１００が送信データに移動局識別子を付与することで、移動局装置１０３（１）〜（ｎ）は、無線通信フレーム２００でのスロットタイミングを固定して扱うことなく、自局装置と対応する移動局識別子を検出したスロットからデータ受信することが可能となる。
【００１９】
図３は、基地局装置１００の構成を示す構成図である。基地局装置１００は、現用系統基地局装置１０１、予備系統基地局装置１０２、系統切替制御部３０８、送信スイッチ部３１０、受信スイッチ部３１１、共用部３１２及びアンテナ部３１３で構成され、現用系統基地局装置１０１及び予備系統基地局装置１０２において冗長構成をとっている。
【００２０】
現用系統基地局装置１０１は、現用系統制御部３００及び現用系統無線部３０１で構成される。現用系統基地局装置１０１は、現用系統制御部３００又は現用系統無線部３０１の少なくとも一方で障害が発生すると、系統切替制御部３０８に対して系統切替え指示を促し、予備系統基地局装置１０２が運用状態に移行した後に、待機状態に移行する。
【００２１】
現用系統制御部３００は、現用系統基地局装置１０１が送信するデータの生成及び生成した送信データの現用系統無線部３０１への伝送、現用系統基地局装置１０１が受信するデータの精査、現用系統無線部３０１の障害監視及び系統切替制御、移動局識別子の管理及び送信データへの付与、並びに送信データに付与した移動局識別子の系統切替制御部３０８への通知を行う。生成した送信デ−タの伝送周期は、１スロットの伝送時間に合わせて時間Ｔ１／ｎで行われる。また、現用系統制御部３００は、現用系統無線部３０１から障害情報の通知を受信した場合や、例えばウォッチドックタイマ等のＨ／Ｗ処理によって現用系統無線部３０１又は現用系統制御部３００自体の障害が検知された場合に、系統切替制御部３０８に対し障害情報を通知する。
【００２２】
現用系統無線部３０１は、現用系統送信部３０２及び現用系統受信部３０３の制御と管理を行う。また、現用系統無線部３０１は、現用系統送信部３０２若しくは現用系統受信部３０３又は現用系統無線部３０１自体に障害が発生した場合に、現用系統制御部３００に対し障害情報を通知する。
【００２３】
現用系統送信部３０２は、送信データの変調、変調した送信データをスロットに格納するタイミングの調整、及びスロットに格納した送信データへの同期情報の付加を行う。
【００２４】
現用系統受信部３０３は、受信データをスロットから取得するタイミングの調整及び受信データの復調を行う。
【００２５】
予備系統基地局装置１０２は、現用系統基地局装置１０１の予備の装置であり、予備系統制御部３０４及び予備系統無線部３０５で構成される。予備系統基地局装置１０２は、系統切替制御部３０８からの系統切替え指示を受けて運用状態に移行する。
【００２６】
予備系統制御部３０４は、現用系統制御部３００の予備の機能部であり、待機状態から運用状態に移行することで、予備系統基地局装置１０２が送信するデータの生成及び受信するデータの精査、予備系統無線部３０５の監視及び制御、移動局識別子の管理及び送信データへの付与、並びに送信データに付与した移動局識別子の系統切替制御部３０８への通知を行う。
【００２７】
予備系統無線部３０５は、現用系統無線部３０１の予備の機能部であり、待機状態から運用状態に移行することで、予備系統送信部３０６及び予備系統受信部３０７の制御と管理を行う。
【００２８】
予備系統送信部３０６は、現用系統送信部３０２の予備の機能部であり、待機状態から運用状態に移行することで、送信データの変調、変調した送信データをスロットに格納するタイミングの調整、及びスロットに格納した送信データへの同期情報の付加を行う。
【００２９】
予備系統受信部３０７は、現用系統受信部３０３の予備の機能部であり、待機状態から運用状態に移行することで、受信データをスロットから取得するタイミングの調整及び受信データの復調を行う。
【００３０】
系統切替制御部３０８は、現用系統基地局装置１０１と予備系統基地局装置１０２との系統切替えを行う機能部である。系統切替制御部３０８は、現用系統制御部３００からの障害情報の通知を受信すると、予備系統制御部３０４に対し運用状態移行指示を通知し、予備系統基地局装置１０２を運用状態に移行させるとともに、現用系統制御部３００に対し待機状態移行指示を通知し、現用系統基地局装置１０１を待機状態に移行させる。その後、系統切替制御部３０８は、運用状態となる予備系統基地局装置１０２の予備系統無線部３０５と共用部３１２とを接続するように、送信スイッチ部３１０及び受信スイッチ部３１１の制御を行う。また、系統切替制御部３０８は、運用状態にある現用系統制御部３００又は予備系統制御部３０４から通知される移動局識別子を記憶しており、運用状態移行指示と併せて、記憶した最新の移動局識別子の通知を行う。
【００３１】
通信制御部３０９は、現用系統制御部３００、予備系統制御部３０４及び系統切替制御部３０８からなる機能部である。実施の形態１の通信制御部３０９は、現用系統無線部３０１に障害が発生していなくとも、現用系統制御部３００に障害が発生すれば、現用系統無線部３０１の予備系統無線部３０５への系統切替えを実行する。
【００３２】
送信スイッチ部３１０は、現用系統送信部３０２又は予備系統送信部３０６の運用状態にある側にスイッチングして、基地局装置１００が送信する電波を、共用部３１２を介してアンテナ部３１３から移動局装置１０３（１）〜（ｎ）に向けて送出する。障害が発生していない運用開始の時点では、送信スイッチ部３１０は、現用系統送信部３０２の側にスイッチングしている。
【００３３】
受信スイッチ部３１１は、アンテナ部３１３で受信し共用部３１２を介して到達した移動局装置１０３（１）〜（ｎ）からの電波を、現用系統受信部３０３又は予備系統受信部３０７の運用状態にある側に向けてスイッチングする。障害が発生していない運用開始の時点では、受信スイッチ部３１１は、現用系統受信部３０３の側にスイッチングしている。
【００３４】
共用部３１２は、基地局装置１００が送信した電波と、アンテナ部３１３で受信した移動局装置１０３（１）〜（ｎ）からの電波とを分波する。
【００３５】
アンテナ部３１３は、移動局装置１０３（１）〜（ｎ）との間で、電波を送受信するアンテナである。
【００３６】
図４は、予備系統基地局装置１０２が運用状態に移行し、移動局識別子を付与したデータより送信を開始する動作を示すシーケンス図である。移動局装置１０３及び移動局識別子の添え字に用いるｉは１〜ｎに含まれる整数であり、ｉで表される添え字が、１〜ｎの範囲となるように定めるものとする。以降も同様とする。
【００３７】
Ｓ４００では、現用系統基地局装置１０１が、移動局装置１０３（ｉ−１）に対してデータの送信を行っている。この時、現用系統制御部３００は、現用系統無線部３０１に移動局装置１０３（ｉ−１）宛の送信データを伝送するとともに、系統切替制御部３０８に移動局識別子（ｉ−１）を通知する。系統切替制御部３０８は、通知された移動局識別子（ｉ−１）を記憶する。現用系統無線部３０１は、移動局装置１０３（ｉ−１）宛の送信データを受けると、送信データをスロットに格納するタイミングを調整しながら、スロットに同期情報と移動局装置１０３（ｉ−１）宛の送信データを格納し、データ送信が完了する。現用系統無線部３０１は、データ送信が完了すると、現用系統制御部３００に対し送信完了を通知する。
【００３８】
Ｓ４０１では、現用系統基地局装置１０１が、移動局装置１０３（ｉ）に対してデータの送信を行っている。この時、現用系統制御部３００は、現用系統無線部３０１に移動局装置１０３（ｉ）宛の送信データを伝送するとともに、系統切替制御部３０８に移動局識別子（ｉ）を通知する。系統切替制御部３０８は、通知された移動局識別子（ｉ）を記憶する。ここで、移動局装置１０３（ｉ）宛の送信データを受けた直後に、現用系統無線部３０１において障害が発生したとする。
【００３９】
Ｓ４０２では、現用系統制御部３００は、現用系統無線部３０１より障害情報の通知を受けると、系統切替制御部３０８に対して現用系統無線部３０１で障害が発生した旨の障害情報を通知する。障害情報の通知を受けた系統切替制御部３０８は、予備系統制御部３０４に対して運用状態移行指示と、記憶している最新の移動局識別子（ｉ）とを通知する。また、予備系統制御部３０４への通知と並行して、系統切替制御部３０８は、現用系統制御部３００に対して待機状態移行指示を通知する。現用系統制御部３００及び現用系統無線部３０１は、待機状態移行指示の通知を受けると待機状態に移行する。
【００４０】
Ｓ４０３では、系統切替制御部３０８から運用状態移行指示の通知を受けた予備系統制御部３０４は、予備系統無線部３０５に移動局識別子と対応した移動局装置１０３（ｉ）宛の送信データを伝送するとともに、系統切替制御部３０８に移動局識別子（ｉ）を通知する。系統切替制御部３０８は、通知された移動局識別子（ｉ）を記憶する。予備系統無線部３０５は、移動局装置１０３（ｉ）宛の送信データを受けると、送信データをスロットに格納するタイミングを調整しながら、スロットに同期情報と移動局装置１０３（ｉ）宛の送信データを格納し、データ送信が完了する。ここで、Ｓ４０１で障害が発生した時点で、現用系統基地局装置１０１から予備系統基地局装置１０２への系統切替えが即時行われるため、Ｓ４０１〜Ｓ４０３の期間に、移動局装置１０３（ｉ）の無線通信の同期は外れておらず、自局装置宛のデータをスロットから受信することができる。同様にして、予備系統制御部３０４は、移動局識別子を更新しながら、移動局装置１０３（ｉ＋１）以降のデータの送信を行う。
【００４１】
図５（ａ）は、実施の形態１を適用して、基地局装置１００から移動局装置１０３にデータ送信する過程を示す模式図である。図５（ｂ）は、実施の形態１を適用せず、基地局装置１００から移動局装置１０３にデータ送信する過程を示す模式図である。
【００４２】
先ず、図５（ａ）について説明する。現用系統基地局装置１０１が送信データを格納する無線通信フレームのスロット列を５００、予備系統基地局装置１０２が送信データを格納する無線通信フレームのスロット列を５０１、及び移動局装置１０３（ｉ）がデータを受信する無線送信フレームのスロット列を５０２とする。現用系統基地局装置１０１が、移動局装置１０３（ｉ）宛の送信データをスロット５０３に格納する時点で、現用系統無線部３０１に障害が発生し、正常にデータ送信が行えなかったとする。この時の時刻を時刻ｔａ１とする。時刻ｔａ１において、移動局装置１０３（ｉ）はデータの受信に失敗する。また、時刻ｔａ１において、基地局装置１００では、障害発生に伴い現用系統基地局装置１０１から予備系統基地局装置１０２への系統切替えが実行される。この時、時刻ｔａ１での系統切替えは瞬時に完了するため、移動局装置１０３（ｉ）の無線通信の同期は外れない。運用状態に移行した予備系統基地局装置１０２は、通知された移動局識別子（ｉ）を付与した送信データをスロット５０４に格納し、データ送信を開始する。移動局装置１０３（ｉ）は、自局装置宛のデータが格納されたスロット５０４を検出し、時刻ｔｂ１においてデータの受信に成功する。
【００４３】
次に、図５（ｂ）について説明する。現用系統基地局装置１０１が送信データを格納する無線通信フレームのスロット列を５０５、予備系統基地局装置１０２が送信データを格納する無線通信フレームのスロット列を５０６、及び移動局装置１０３（ｉ）がデータを受信する無線送信フレームのスロット列を５０７とする。現用系統基地局装置１０１が、移動局装置１０３（ｉ）宛の送信データをスロット５０８に格納する時点で、現用系統無線部３０１に障害が発生し、正常にデータ送信が行えなかったとする。この時の時刻を時刻ｔａ２とする。また、時刻ｔａ２において、基地局装置１００では、障害発生に伴い現用系統基地局装置１０１から予備系統基地局装置１０２への系統切替えが実行される。この時、時刻ｔａ２での系統切替えは瞬時に完了するため、移動局装置１０３（ｉ）の無線通信の同期は外れない。そして、時刻ｔａ２の後に、予備系統基地局装置１０２は、無線通信フレームの先頭のスロットに格納される、移動局識別子（１）と対応するデータより、データ送信を開始する。移動局装置１０３（ｉ）は、自局装置宛ではないデータが格納されたスロット５０９を検出するため、この間はデータ受信が行えない。その後に漸く、移動局装置１０３（ｉ）は、自局装置宛のデータが格納されたスロット５１０を検出し、時刻ｔｂ２においてデータの受信に成功する。
【００４４】
図５（ａ）の時刻ｔｂ１と図５（ｂ）の時刻ｔｂ２を比べると、実施の形態１を適用することで、移動局装置１０３（ｉ）のデータ受信を、時間Ｔ２だけ短縮できることが分かる。
【００４５】
また、図４、図５（ａ）及び図５（ｂ）では、現用系統無線部３０１で障害が発生する場合を扱ったが、現用系統制御部３００で障害が発生する場合であっても、同様に、移動局装置１０３（ｉ）のデータ受信を時間Ｔ２だけ短縮することが可能となる。
【００４６】
尚、実施の形態１では、現用系統基地局装置１０１から予備系統基地局装置１０２への系統切替えを扱っているが、障害から復旧した現用系統基地局装置１０１を再び運用状態に移行できるように、系統切替制御部３０８が予備系統制御部３０４から障害情報の通知を受信し、予備系統基地局装置１０２から現用系統基地局装置１０１への系統切替えを行っても良い。
【００４７】
実施の形態１によれば、基地局装置１００が、送信データの宛先の移動局装置１０３を特定する移動局識別子を記憶しておき、基地局装置１００の障害が復旧した直後に、記憶した移動局識別子に対応したデータを送信することができる。その結果として、基地局装置１００に障害が発生した後の、移動局装置１０３がデータを受信するまでの期間を短縮できる効果が得られる。
【００４８】
実施の形態２．
実施の形態２の基地局装置は、冗長構成の予備系統をコールドスタンバイの待機状態としており、現用系統の運用中は停止している。そして現用系統に障害が発生すると起動を開始し、起動完了によって予備系統は待機状態から運用状態に移行して、基地局装置の運用を再開する。
【００４９】
実施の形態２のシステムの概略図は、図１と同様であり、基地局装置が送信する無線通信フレームの構成は、図２と同様である。
【００５０】
実施の形態２の基地局装置１００の構成は、図３と同様であるが、現用系統制御部３００及び予備系統無線部３０５の動作は、以下の点で異なる。
【００５１】
現用系統制御部３００は、現用系統無線部３０１から障害情報の通知を受信した場合や、例えばウォッチドックタイマ等のＨ／Ｗ処理によって現用系統無線部３０１又は現用系統制御部３００自体の障害が検知された場合に、予備系統無線部３０５に対し初期設定の実行及び擬似データ送信指示の通知をし、系統切替制御部３０８に対し障害情報の通知を行う。
【００５２】
予備系統無線部３０５は、現用系統無線部３０１の予備の機能部であり、初期設定の実行を受けて待機状態から運用状態に移行することで、予備系統送信部３０６及び予備系統受信部３０７の制御と管理を行う。また、予備系統無線部３０５は、擬似データ送信指示の通知を受けると、初期設定完了後に擬似データを生成し、予備系統送信部３０６を制御して適切なタイミングで、同期情報を付加した擬似データをスロットに格納する。また、予備系統無線部３０５は、擬似データ停止指示の通知を受けると、擬似データのスロットへの格納を停止する。
【００５３】
図６は、実施の形態２の擬似データの構成を示す模式図である。スロット６００には、同期情報としての同期ワード６０１と、移動局装置１０３（１）〜（ｎ）に送信するデ−タの代わりに、予備系統無線部３０５が生成した擬似デ−タとを格納する。図６では、例としてスロット６００の先頭に同期ワード６０１を格納し、続いて擬似データを格納しているが、同期ワード６０１をスロット６００内に点在させて、その間に擬似データを格納しても良い。
【００５４】
図７は、予備系統基地局装置１０２が運用状態に移行し、同期情報を付加した擬似データを送信する動作を示すシーケンス図である。
【００５５】
Ｓ７００は、図４のＳ４００と同様であり、Ｓ７０１は、図４のＳ４０１と同様である。
【００５６】
Ｓ７０２では、現用系統制御部３００は、現用系統無線部３０１より障害情報の通知を受けると、予備系統無線部３０５に対して初期設定の実行及び擬似データ送信指示の通知を行い、系統切替制御部３０８に対して現用系統無線部３０１で障害が発生した旨の障害情報を通知する。初期設定の通知を受けた予備系統無線部３０５は、所定の設定時間を経て初期設定完了となり、運用動作を開始する。この時の、所定の設定時間を時間Ｔ３とする。また、系統切替制御部３０８から運用状態移行指示の通知を受けた予備系統制御部３０４は、所定の起動時間を経て起動完了となる。この時の、所定の起動時間を時間Ｔ４とする。予備系統無線部３０５の設定時間Ｔ３と、予備系統制御部３０４の起動時間Ｔ４との関係はＴ３＜Ｔ４である。その他は、図４のＳ４０２と同様である。
【００５７】
Ｓ７０３では、系統切替制御部３０８から運用状態移行指示の通知を受けた予備系統制御部３０４は、起動時間Ｔ４が経過しておらず、起動中の状態となっている。この起動時間Ｔ４の間に、Ｓ７０２で擬似データ送信指示の通知を受けた予備系統無線部３０５は、同期情報を付加した擬似データを時間Ｔ１／ｎの周期でスロットに格納し、移動局装置１０３（１）〜（ｎ）に対し擬似データを送信し続ける。移動局装置１０３（ｉ）は、擬似データを格納したスロットに付加された同期情報を所定数検出することで、無線通信の同期を確立することができるようになる。
【００５８】
Ｓ７０４では、予備系統制御部３０４は、時間Ｔ４を経て起動を完了すると、予備系統無線部３０５に対し、擬似データ停止指示を通知して擬似データの送信を停止させるとともに、系統切替制御部３０８が記憶している移動局識別子（ｉ）と対応した移動局装置１０３（ｉ）宛の送信データを伝送してスロットに格納させる。移動局装置１０３（ｉ）は、Ｓ７０３で無線通信の同期を確立しているため、自局装置宛のデータをスロットから受信することができる。同様にして、予備系統制御部３０４は、移動局識別子を更新しながら、移動局装置１０３（ｉ＋１）以降のデータの送信を行う。
【００５９】
図８（ａ）は、実施の形態２を適用して、基地局装置１００から移動局装置１０３にデータ送信する過程を示す模式図である。図８（ｂ）は、実施の形態２を適用せず、基地局装置１００から移動局装置１０３にデータ送信する過程を示す模式図である。
【００６０】
先ず、図８（ａ）について説明する。現用系統基地局装置１０１が送信データを格納する無線通信フレームのスロット列を８００、予備系統基地局装置１０２が送信データを格納する無線通信フレームのスロット列を８０１、及び移動局装置１０３（ｉ）がデータを受信する無線送信フレームのスロット列を８０２とする。現用系統基地局装置１０１が、移動局装置１０３（ｉ）宛の送信データをスロット８０３に格納する時点で、現用系統無線部３０１に障害が発生し、データ送信が正常に行えなかったとする。この時の時刻を時刻ｔａ３とする。時刻ｔａ３において、移動局装置１０３（ｉ）は当該データの受信に失敗する。また、時刻ｔａ３において、基地局装置１００では、障害発生に伴い現用系統基地局装置１０１から予備系統基地局装置１０２への系統切替えが実行される。予備系統制御部３０４が起動完了する時刻を時刻ｔｂ３とする。時刻ｔａ３から時刻ｔｂ３までの期間が起動時間Ｔ４に相当する。予備系統制御部３０４が起動完了する起動時間Ｔ４の間に、予備系統無線部３０５の初期設定が実行される。予備系統無線部３０５が初期設定完了する時刻を時刻ｔｃ３とする。時刻ｔａ３から時刻ｔｃ３までの期間が設定時間Ｔ３に相当する。予備系統制御部３０４が起動完了するまでの時刻ｔａ３から時刻ｔｂ３の期間に、移動局装置１０３（ｉ）は、スロット内の同期情報を所定数検出できないことがあれば、無線通信の同期は外れてしまう。そして時刻ｔｃ３より、予備系統無線部３０５は、同期情報と生成した擬似データとをスロット８０４に格納し、擬似データの送信を開始する。移動局装置１０３（ｉ）は、時刻ｔｃ３より、スロット８０５から所定数の同期情報を検出し、再び同期を確立する。同期の確立後に、起動時間Ｔ４が経過して予備系統制御部３０４の起動が完了し、移動局装置１０３（ｉ）は、自局装置宛のデータが格納されたスロット８０６を検出し、時刻ｔｄ３においてデータの受信に成功する。一方で、時刻ｔａ３から時刻ｔｂ３の期間に、移動局装置１０３（ｉ）が、スロット内の同期情報を所定数検出し続けていれば、無線通信の同期は外れない。このように無線通信の同期が外れない場合には、実施の形態１と同様に、予備系統無線部３０５から擬似データを送信せずに、予備系統基地局装置１０２が、通知された移動局識別子（ｉ）を付与した送信データをスロットに格納し、データ送信を開始すれば良い。
【００６１】
次に、図８（ｂ）について説明する。現用系統基地局装置１０１が送信データを格納する無線通信フレームのスロット列を８０７、予備系統基地局装置１０２が送信データを格納する無線通信フレームのスロット列を８０８、及び移動局装置１０３（ｉ）がデータを受信する無線送信フレームのスロット列を８０９とする。現用系統基地局装置１０１が、移動局装置１０３（ｉ）宛の送信データをスロット８１０に格納する時点で、現用系統無線部３０１に障害が発生し、データ送信が正常に行えなかったとする。この時の時刻を時刻ｔａ４とする。時刻ｔａ４において、移動局装置１０３（ｉ）は当該データの受信に失敗する。また、時刻ｔａ４において、基地局装置１００では、障害発生に伴い現用系統基地局装置１０１から予備系統基地局装置１０２への系統切替えが実行される。予備系統制御部３０４が起動完了する時刻を時刻ｔｂ４とする。時刻ｔａ４から時刻ｔｂ４までの期間が起動時間Ｔ４に相当する。予備系統制御部３０４が起動完了した後に、予備系統無線部３０５の初期設定が実行される。予備系統無線部３０５が初期設定完了する時刻を時刻ｔｃ４とする。時刻ｔｂ４から時刻ｔｃ４までの期間が設定時間Ｔ３に相当する。予備系統基地局装置１０２が運用状態に移行するまでの時刻ｔａ４から時刻ｔｃ４の期間に、移動局装置１０３（ｉ）はスロット内の同期情報を所定数検出できないことがあれば、無線通信の同期は外れてしまう。そして、時刻ｔｃ４の後に、予備系統基地局装置１０２は、無線通信フレームの先頭のスロットに格納される、移動局識別子（１）と対応するデータより、データ送信を開始する。移動局装置１０３（ｉ）は、時刻ｔｃ４よりスロット８１１から所定数の同期情報を検出し、再び同期を確立する。しかしながら、同期の確立後に、移動局装置１０３（ｉ）は、自局装置宛ではないデータが格納されたスロット８１２を検出するため、この間はデータ受信が行えない。その後に漸く、移動局装置１０３（ｉ）は、自局装置宛のデータが格納されたスロット８１３を検出し、時刻ｔｄ４においてデータの受信に成功する。一方で、時刻ｔａ４から時刻ｔｃ４の期間に、移動局装置１０３（ｉ）が、スロット内の同期情報を所定数検出し続けていれば、無線通信の同期は外れない。しかし、無線通信の同期が外れない場合であっても、移動局装置１０３（ｉ）は、スロット８１１から自局装置宛のデータが格納されたスロットを検出するまでの間は、データ受信が行えない。
【００６２】
図８（ａ）の時刻ｔｄ３と図８（ｂ）の時刻ｔｄ４を比べると、実施の形態２を適用することで、移動局装置１０３（ｉ）のデータ受信を、時間Ｔ５だけ短縮できることが分かる。
【００６３】
また、図７、図８（ａ）及び図８（ｂ）では、現用系統無線部３０１で障害が発生する場合を扱ったが、現用系統制御部３００で障害が発生する場合であっても、同様に、移動局装置１０３（ｉ）のデータ受信を時間Ｔ５だけ短縮することが可能となる。
【００６４】
尚、実施の形態２では、現用系統基地局装置１０１から予備系統基地局装置１０２への系統切替えを扱っているが、実施の形態１と同様に、障害から復旧した現用系統基地局装置１０１を再び運用状態に移行できるように、系統切替制御部３０８が予備系統制御部３０４から障害情報の通知を受信し、予備系統基地局装置１０２から現用系統基地局装置１０１への系統切替えを行っても良い。
【００６５】
実施の形態２によれば、実施の形態１とは異なり系統切替えに時間を要して、基地局装置１００の障害発生によって移動局装置１０３との無線通信の同期が外れるような場合に、障害の復旧に先だって移動局装置１０３を同期させるための同期情報を付加した擬似データを送信することができる。その結果として、基地局装置１００の障害の復旧に先だって移動局装置１０３の同期を確立できる効果が得られる。
【００６６】
また、実施の形態２によれば、基地局装置１００が、送信データの宛先の移動局装置１０３を特定する移動局識別子を記憶しておき、基地局装置１００の障害が復旧した後に、擬似データの送信に代わって、記憶した移動局識別子に対応したデータを送信することができる。その結果として、基地局装置１００の障害の復旧直後に、障害発生によって送信できなかったデータを移動局装置１０３に送信できる効果が得られる。
【００６７】
実施の形態３．
実施の形態３の基地局装置は、実施の形態２と同様に、冗長構成の予備系統をコールドスタンバイの待機状態としている。
【００６８】
実施の形態３のシステムの概略図は、図１と同様である。基地局装置が送信する無線通信フレームの構成は、図２と同様である。基地局装置１００の構成は、図３と同様である。
【００６９】
図９は、予備系統基地局装置１０２が運用状態に移行し、後述する同期移動局識別子を付与したデータより送信を開始する動作を示すシーケンス図である。また、移動局装置１０３及び移動局識別子の添え字に用いるｋは１〜ｎに含まれる整数であり、ｉとｋとを用いて表す添え字が１〜ｎの範囲となるように定めるものとする。以降も同様とする。
【００７０】
Ｓ９００は、図４のＳ４００と同様であり、Ｓ９０１は、図４のＳ４０１と同様である。
【００７１】
Ｓ９０２は、図４のＳ４０３と同様であるが、予備系統制御部３０４が起動完了するまでに起動時間Ｔ４を要する。
【００７２】
Ｓ９０３では、予備系統制御部３０４は、起動時間Ｔ４を経て起動完了となる。起動が完了した予備系統制御部３０４は、通知された移動局識別子（ｉ）を基に同期移動局識別子を導出する。同期移動局識別子とは、系統切替制御部３０８が記憶している最新の移動局識別子を基に、移動局装置１０３が無線通信の同期を確立させるのに要する同期情報の数だけ遡った移動局識別子である。この時の同期の確立に要する同期情報の数をｋ個とすると、導出される同期移動局識別子は移動局識別子（ｉ−ｋ）となる。予備系統制御部３０４は、同期移動局識別子を導出した後に、予備系統無線部３０５に対し初期設定を実行する。初期設定を実行された予備系統無線部３０５は、設定時間Ｔ３を経て初期設定完了となり、運用動作を開始する。この時の移動局識別子を例えば昇順に付与される番号とすると、同期移動局識別子の導出を容易に行うことができる。
【００７３】
Ｓ９０４では、予備系統制御部３０４は、予備系統無線部３０５に同期移動局識別子と対応した移動局装置１０３（ｉ−ｋ）宛の送信データを伝送するとともに、系統切替制御部３０８に移動局識別子（ｉ−ｋ）を通知する。系統切替制御部３０８は、通知された移動局識別子（ｉ−ｋ）を記憶する。予備系統無線部３０５は、移動局装置１０３（ｉ−ｋ）宛の送信データを受けると、送信データをスロットに格納するタイミングを調整しながら、スロットに同期情報と移動局装置１０３（ｉ−ｋ）宛の送信データを格納し、データ送信が完了する。予備系統無線部３０５は、データ送信が完了すると、予備系統制御部３０４に対し送信完了を通知する。同様にして、移動局識別子を更新しながら、移動局装置１０３（ｉ−ｋ＋１）宛のデータ送信、移動局装置１０３（ｉ−ｋ＋２）宛のデータ送信、及びそれ以降のデータ送信を行う。
【００７４】
Ｓ９０１〜Ｓ９０３の期間に、基地局装置１００と移動局装置１０３（ｉ）との間の無線通信の同期が外れてしまい無線通信が行えない状態となっていても、Ｓ９０４の期間に、移動局装置１０３（ｉ）は、基地局装置１００からの同期情報をｋ個受信することで、再び同期を確立させることができる。
【００７５】
Ｓ９０５では、予備系統制御部３０４は、予備系統無線部３０５に移動局装置１０３（ｉ）宛の送信データを伝送し、予備系統無線部３０５は受けた送信データをスロットに格納する。移動局装置１０３（ｉ）は、Ｓ９０４で無線通信の同期を確立しているため、自局装置宛のデータをスロットから受信することができる。同様にして、予備系統制御部３０４は、移動局識別子を更新しながら、移動局装置１０３（ｉ＋１）以降のデータの送信を行う。
【００７６】
図１０（ａ）は、実施の形態３を適用して、基地局装置１００から移動局装置１０３にデータ送信する過程を示す模式図である。図１０（ｂ）は、実施の形態３を適用せず、基地局装置１００から移動局装置１０３にデータ送信する過程を示す模式図である。
【００７７】
先ず、図１０（ａ）について説明する。現用系統基地局装置１０１が送信データを格納する無線通信フレームのスロット列を１０００、予備系統基地局装置１０２が送信データを格納する無線通信フレームのスロット列を１００１、及び移動局装置１０３（ｉ）がデータを受信する無線送信フレームのスロット列を１００２とする。現用系統基地局装置１０１が、移動局装置１０３（ｉ）宛の送信データをスロット１００３に格納する時点で、現用系統無線部３０１に障害が発生し、正常にデータ送信が行えなかったとする。この時の時刻を時刻ｔａ５とする。時刻ｔａ５において、移動局装置１０３（ｉ）は当該データの受信に失敗する。また、時刻ｔａ５において、基地局装置１００では、障害発生に伴い現用系統基地局装置１０１から予備系統基地局装置１０２への系統切替えが実行される。予備系統制御部３０４が起動完了する時刻を時刻ｔｂ５とする。時刻ｔａ５から時刻ｔｂ５までの期間が起動時間Ｔ４に相当する。予備系統制御部３０４が起動完了した後に、予備系統無線部３０５の初期設定が実行される。予備系統無線部３０５が初期設定完了する時刻を時刻ｔｃ５とする。時刻ｔｂ５から時刻ｔｃ５までの期間が設定時間Ｔ３に相当する。予備系統基地局装置１０２が運用状態に移行するまでの時刻ｔａ５から時刻ｔｃ５の期間に、移動局装置１０３（ｉ）はスロット内の同期情報を所定数検出できないことがあれば、無線通信の同期は外れてしまう。そして時刻ｔｃ５より、予備系統基地局装置１０２は、導出した同期移動局識別子（ｉ−ｋ）を付与した送信データをスロット１００４に格納し、データ送信を開始する。移動局装置１０３（ｉ）は、時刻ｔｃ５より、スロット１００５からｋ個の同期情報を検出し、再び同期を確立する。同期の確立後に、移動局装置１０３（ｉ）は、自局装置宛のデータが格納されたスロット１００６を検出し、時刻ｔｄ５においてデータの受信に成功する。一方で、時刻ｔａ５から時刻ｔｃ５の期間に、移動局装置１０３（ｉ）が、スロット内の同期情報を所定数検出し続けていれば、無線通信の同期は外れない。このように無線通信の同期が外れない場合には、実施の形態１と同様に、予備系統基地局装置１０２が、通知された移動局識別子（ｉ）を付与した送信データをスロットに格納し、データ送信を開始すれば良い。
【００７８】
次に、図１０（ｂ）について説明する。現用系統基地局装置１０１が送信データを格納する無線通信フレームのスロット列を１００７、予備系統基地局装置１０２が送信データを格納する無線通信フレームのスロット列を１００８、及び移動局装置１０３（ｉ）がデータを受信する無線送信フレームのスロット列を１００９とする。現用系統基地局装置１０１が、移動局装置１０３（ｉ）宛の送信データをスロット１０１０に格納する時点で、現用系統無線部３０１に障害が発生し、正常にデータ送信が行えなかったとする。この時の時刻を時刻ｔａ６とする。それ以降の、時刻ｔｂ６、時刻ｔｃ６及び時刻ｔｄ６については、図８の時刻ｔｂ４、時刻ｔｃ４及び時刻ｔｄ４と同様である。時刻ｔａ６での障害によって無線通信の同期が外れてしまった場合には、移動局装置１０３（ｉ）は、時刻ｔｃ６より、スロット１０１１からｋ個の同期情報を検出し、再び同期を確立する。しかしながら、同期の確立後に、移動局装置１０３（ｉ）は、自局装置宛ではないデータが格納されたスロット１０１２を検出するため、この間はデータ受信が行えない。その後に漸く、移動局装置１０３（ｉ）は、自局装置宛のデータが格納されたスロット１０１３を検出し、時刻ｔｄ４においてデータの受信に成功する。一方で、時刻ｔａ６から時刻ｔｃ６の期間に、移動局装置１０３（ｉ）が、スロット内の同期情報を所定数検出し続けていれば、無線通信の同期は外れない。しかし、無線通信の同期が外れない場合であっても、移動局装置１０３（ｉ）は、スロット１０１１から自局装置宛のデータが格納されたスロットを検出するまでの間は、データ受信が行えない。
【００７９】
図１０（ａ）の時刻ｔｄ５と図１０（ｂ）の時刻ｔｄ６を比べると、実施の形態３を適用することで、移動局装置１０３（ｉ）のデータ受信を、時間Ｔ６だけ短縮できることが分かる。
【００８０】
また、図９、図１０（ａ）及び図１０（ｂ）では、現用系統無線部３０１で障害が発生する場合を扱ったが、現用系統制御部３００で障害が発生する場合であっても、同様に、移動局装置１０３（ｉ）のデータ受信を時間Ｔ６だけ短縮することが可能となる。
【００８１】
尚、実施の形態３では、現用系統基地局装置１０１から予備系統基地局装置１０２への系統切替えを扱っているが、障害から復旧した現用系統基地局装置１０１を再び運用状態に移行できるように、系統切替制御部３０８が予備系統制御部３０４から障害情報の通知を受信し、予備系統基地局装置１０２から現用系統基地局装置１０１への系統切替えを行っても良い。
【００８２】
実施の形態３によれば、基地局装置１００の障害発生によって移動局装置１０３との無線通信の同期が外れるような場合に、基地局装置１００が、送信データの宛先の移動局装置１０３を特定する移動局識別子を記憶しておき、記憶した移動局識別子から移動局装置１０３が同期の確立に要する同期情報の数だけ遡った同期移動局識別子を導出することで、基地局装置１００の障害復旧後に、同期移動局識別子に対応したデータより送信を開始することができる。その結果として、実施の形態２のように予備系統制御部３０４より先に予備系統無線部３０５を運用状態とすることが出来なくとも、移動局装置１０３が同期を確立した直後に、障害発生によって送信できなかったデータを移動局装置１０３に送信できる効果が得られる。
【００８３】
実施の形態４．
実施の形態４は、実施の形態１〜実施の形態３での無線通信の同期を確立させる手段を利用しつつ、現用系統基地局装置１０１及び予備系統基地局装置１０２の括りを外し、例えば現用系統無線部３０１から予備系統無線部３０５への系統切替えのみを実行して、現用系統制御部３００及び予備系統無線部３０５の組によって運用することを許容するものである。また、実施の形態４の基地局装置は、冗長構成の予備系統をコールドスタンバイの待機状態としている。
【００８４】
図１１は、実施の形態４の基地局装置１００の構成を示す構成図である。図３の現用系統基地局装置１０１及び予備系統基地局装置１０２がなく、現用系統制御部１１００、現用系統無線部１１０１、予備系統制御部１１０４、予備系統無線部１１０５、系統切替制御部１１０８、送信スイッチ部３１０、受信スイッチ部３１１、共用部３１２及びアンテナ部３１３で構成される。
【００８５】
現用系統制御部１１００及び現用系統無線部１１０１、並びに予備系統制御部１１０４及び予備系統無線部１１０５は、それぞれ独立して運用状態となることが可能であるため、現用系統制御部１１００から予備系統制御部１１０４への系統切替えを伴わない現用系統無線部１１０１から予備系統無線部１１０５への系統切替えの実行や、反対に、現用系統無線部１１０１から予備系統無線部１１０５への系統切替えを伴わない現用系統制御部１１００から予備系統制御部１１０４への系統切替えの実行を行うことができる。
【００８６】
現用系統無線部１１０１から予備系統無線部１１０５への系統切替えは次のとおりである。現用系統無線部１１０１に障害が発生すると、現用系統無線部１１０１は、運用状態にある現用系統制御部１１００又は予備系統制御部１１０４に障害情報を通知する。障害情報の通知を受けた現用系統制御部１１００又は予備系統制御部１１０４は、予備系統無線部１１０５に初期設定を実行するとともに、現用系統無線部１１０１に待機状態移行指示を通知する。初期設定完了となった予備系統無線部１１０５は、運用状態にある現用系統制御部１１００又は予備系統制御部１１０４の制御のもとで運用を行う。
【００８７】
現用系統制御部１１００から予備系統制御部１１０４への系統切替えは次のとおりである。現用系統制御部１１００に障害が発生すると、現用系統制御部１１００は、系統切替制御部１１０８に障害情報を通知する。障害情報の通知を受けた系統切替制御部１１０８は、予備系統制御部１１０４に運用状態移行指示を通知するとともに、現用系統制御部１１００に待機状態移行指示を通知する。起動完了となった予備系統制御部１１０４は、運用状態にある現用系統制御部１１００又は現用系統無線部１１０１を制御し運用を行う。
【００８８】
通信制御部１１０９は、現用系統制御部１１００、予備系統制御部１１０４及び系統切替制御部１１０８からなる機能部である。実施の形態４の通信制御部１１０９は、上述のとおり、現用系統無線部１１０１に障害が発生していなければ、現用系統制御部１１００に障害が発生しても、現用系統無線部１１０１の予備系統無線部１１０５への系統切替えは実行されない。
【００８９】
図１２は、予備系統無線部１１０５が運用状態に移行し、現用系統制御部１１００の制御のもとで同期移動局識別子を付与したデータより送信を開始する動作を示すシーケンス図である。
【００９０】
Ｓ１２００は、図４のＳ４００と同様であり、Ｓ１２０１は、図４のＳ４０１と同様である。
【００９１】
Ｓ１２０２では、現用系統制御部１１００は、現用系統無線部１１０１より障害情報の通知を受けると、系統切替制御部１１０８に現用系統無線部１１０１で障害が発生した旨の障害情報を通知し、現用系統無線部１１０１に待機状態移行指示を通知して待機状態に移行させるとともに、予備系統無線部１１０５に初期設定を実行する。初期設定を実行された予備系統無線部１１０５は、設定時間Ｔ３を経て初期設定完了となる。また、現用系統制御部１１００は、障害発生によって送信できなかった移動局識別子（ｉ）を基に同期移動局識別子を導出する。
【００９２】
Ｓ１２０３では、現用系統制御部１１００は、予備系統無線部１１０５に同期移動局識別子と対応した移動局装置１０３（ｉ−ｋ）宛の送信データを伝送するとともに、系統切替制御部１１０８に移動局識別子（ｉ−ｋ）を通知する。以降は、図９のＳ９０４と同様である。
【００９３】
Ｓ１２０４では、図９のＳ９０５と同様にして、移動局装置１０３（ｉ）は、Ｓ１２０３で無線通信の同期を確立しているため、自局装置宛のデータをスロットから受信することができる。以降は、図９のＳ９０５と同様である。
【００９４】
図１３は、現用系統制御部１１００の障害発生に伴い予備系統無線部１１０５が同期情報を付加した擬似データを送信する動作を示すシーケンス図である。
【００９５】
Ｓ１３００は、図４のＳ４００と同様である。
【００９６】
Ｓ１３０１では、移動局装置１０３（ｉ）宛の送信データを伝送した時点で、現用系統制御部１１００に障害が発生したとする。障害の発生によって現用系統制御部３００は、予備系統無線部１１０５からの送信完了の通知を受けられないため、移動局装置１０３（ｉ）へのデータ送信は未完了と扱う。
【００９７】
Ｓ１３０２では、現用系統制御部１１００は、系統切替制御部１１０８に障害情報を通知するとともに、予備系統無線部１１０５に擬似データ送信指示を通知する。障害情報の通知を受けた系統切替制御部１１０８は、予備系統制御部１１０４に運用状態移行指示と、記憶している最新の移動局識別子（ｉ）とを通知する。また、予備系統制御部１１０４への通知と並行して、系統切替制御部１１０８は、現用系統制御部１１００に待機状態移行指示を通知する。待機状態移行指示の通知を受けた現用系統制御部１１００は待機状態に移行する。
【００９８】
Ｓ１３０３では、図７のＳ７０３と同様にして、予備系統無線部１１０５が擬似データを格納したスロット内の同期情報により、移動局装置１０３（ｉ）は、無線通信の同期を確立する。
【００９９】
Ｓ１３０４では、図７のＳ７０４と同様にして、移動局装置１０３（ｉ）は自局装置宛のデータをスロットから受信することができる。以降は、図７のＳ７０４と同様である。
【０１００】
図１４は、現用系統制御部１１００の障害発生に伴い現用系統無線部１１０１が同期情報を付加した擬似データを送信する動作を示すシーケンス図である。
【０１０１】
Ｓ１４００は、図４のＳ４００と同様である。
【０１０２】
Ｓ１４０１では、移動局装置１０３（ｉ）宛の送信データを伝送した時点で、現用系統制御部１１００に障害が発生したとする。障害の発生によって現用系統制御部３００は、現用系統無線部１１０１からの送信完了の通知を受けられないため、移動局装置１０３（ｉ）へのデータ送信は未完了と扱う。
【０１０３】
Ｓ１４０２では、現用系統制御部１１００は、系統切替制御部１１０８に障害情報を通知するとともに、現用系統無線部１１０１に擬似データ送信指示を通知する。障害情報の通知を受けた系統切替制御部１１０８は、予備系統制御部１１０４に運用状態移行指示と、記憶している最新の移動局識別子（ｉ）とを通知する。また、予備系統制御部１１０４への通知と並行して、系統切替制御部１１０８は、現用系統制御部１１００に待機状態移行指示を通知する。待機状態移行指示の通知を受けた現用系統制御部１１００は待機状態に移行する。
【０１０４】
Ｓ１４０３では、図７のＳ７０３と同様にして、現用系統無線部１１０１が擬似データを格納したスロット内の同期情報により、移動局装置１０３（ｉ）は、無線通信の同期を確立する。
【０１０５】
Ｓ１４０４では、図７のＳ７０４と同様にして、移動局装置１０３（ｉ）は自局装置宛のデータをスロットから受信することができる。以降は、図７のＳ７０４と同様である。
【０１０６】
図１５は、予備系統無線部１１０５が運用状態に移行し、予備系統制御部１１０４の制御のもとで同期移動局識別子を付与したデータより送信を開始する動作を示すシーケンス図である。
【０１０７】
Ｓ１５００では、図４のＳ４００と同様にして、予備系統制御部１１０４は、現用系統無線部１１０１に移動局装置１０３（ｉ−１）宛の送信データを伝送し、移動局装置１０３（ｉ−１）にデータの送信を行っている。
【０１０８】
Ｓ１５０１では、移動局装置１０３（ｉ）宛の送信データを伝送した時点で、現用系統無線部１１０１に障害が発生したとする。
【０１０９】
Ｓ１５０２では、図１２のＳ１２０２と同様にして、予備系統制御部１１０４は、現用系統無線部１１０１より障害情報の通知を受けると、系統切替制御部１１０８に現用系統無線部１１０１で障害が発生した旨の障害情報を通知し、現用系統無線部１１０１に待機状態移行指示を通知して待機状態に移行させるとともに、予備系統無線部１１０５に初期設定を実行する。初期設定の実行の通知を受けた予備系統無線部１１０５は、設定時間Ｔ３を経て初期設定完了となる。また、予備系統制御部１１０４は、障害発生によって送信できなかった移動局識別子（ｉ）を基に同期移動局識別子（ｉ−ｋ）を導出する。
【０１１０】
Ｓ１５０３は、図９のＳ９０４と同様である。
【０１１１】
Ｓ１５０４では、図９のＳ９０５と同様にして、移動局装置１０３（ｉ）は、Ｓ１５０３で無線通信の同期を確立しているため、自局装置宛のデータをスロットから受信することができる。以降は、図９のＳ９０５と同様である。
【０１１２】
尚、実施の形態４では、現用系統制御部１１００から予備系統制御部１１０４への系統切替え及び現用系統無線部１１０１から予備系統無線部１１０５への系統切替えを扱っているが、実施の形態１と同様に、障害から復旧した現用系統制御部１１００や現用系統無線部１１０１を再び運用状態に移行できるように、現用系統制御部１１００又は現用系統無線部１１０１が、予備系統無線部１１０５から障害情報の通知を受信し、予備系統無線部１１０５から現用系統無線部１１０１への系統切替えを行っても良いし、系統切替制御部１１０８が、予備系統制御部１１０４から障害情報の通知を受信し、予備系統制御部１１０４から現用系統制御部１１００への系統切替えを行っても良い。
【０１１３】
また、実施の形態４では、冗長構成の予備系統の機能部はコールドスタンバイとしたが、ホットスタンバイについて適用することも可能である。
【０１１４】
実施の形態４によれば、現用系統制御部１１００及び予備系統制御部１１０４並びに現用系統無線部１１０１及び予備系統無線部１１０５を独立して系統切替えが行えるため、実施の形態２及び実施の形態３に比べて、現用系統制御部１１００と予備系統制御部１１０４との切替わりによる起動時間Ｔ４の発生を抑止し、基地局装置１００と移動局装置１０３との無線通信の再開までの時間を短縮できる効果が得られる。
【符号の説明】
【０１１５】
１００  基地局装置
１０１  現用系統基地局装置
１０２  予備系統基地局装置
１０３、１０３（１）〜（ｎ）  移動局装置
３００、１１００  現用系統制御部
３０１、１１０１  現用系統無線部
３０２、１１０２  現用系統送信部
３０３、１１０３  現用系統受信部
３０４、１１０４  予備系統制御部
３０５、１１０５  予備系統無線部
３０６、１１０６  予備系統送信部
３０７、１１０７  予備系統受信部
３０８、１１０８  系統切替制御部
３１０  送信スイッチ部
３１１  受信スイッチ部
３１２  共用部
３１３  アンテナ部
【図１】
2016063279.tif 000003
【図２】
2016063279.tif 000004
【図３】
2016063279.tif 000005
【図４】
2016063279.tif 000006
【図５】
2016063279.tif 000007
【図６】
2016063279.tif 000008
【図７】
2016063279.tif 000009
【図８】
2016063279.tif 000010
【図９】
2016063279.tif 000011
【図１０】
2016063279.tif 000012
【図１１】
2016063279.tif 000013
【図１２】
2016063279.tif 000014
【図１３】
2016063279.tif 000015
【図１４】
2016063279.tif 000016
【図１５】
2016063279.tif 000017